(57)【要約】【課題】  工期の短縮を図りつつ、耐震性、安定性に優れた基礎構造を構築することが可能な発電設備の設置方法及び設置構造を提供すること。【解決手段】  小容量発電設備の設置構造１は、発電設備１０と、この発電設備１０を支持する共通台床２０と、この共通台床２０内に注入されたコンクリートにより構築される基礎構造３０とにより構成されている。発電設備１０は、原動機１１と、この原動機の出力軸に接続された発電機１２とから構成されている。共通台床２０は、上面に発電設備１０が設置され、下部がコンクリート型枠としての機能を有する枠体２１として構成されている。共通台床２０の枠体２１の内部には、カゴ状にした鉄筋２２を予め配置しておく。この共通台床をスラブ２上に設置し、この枠体２１内にコンクリートを流し込み固化させて基礎構造３０を構築することにより、共通台床２０とスラブ２とが固定される。【選択図】  図１
2007262798.tif 000002
【特許請求の範囲】
【請求項１】
上面に発電設備が設置され、下部がコンクリート型枠としての機能を有する枠体として構成された共通台床をスラブ上に設置し、
この枠体内にコンクリートを流し込んで固化させることにより、共通台床とスラブとを固定することを特徴とする発電設備の設置方法。
【請求項２】
前記発電設備は、原動機と発電機とを備え、これらを予め工場で前記共通台床上に設置しておくことを特徴とする請求項１に記載の発電設備の設置方法。
【請求項３】
前記共通台床の枠体の内部に、カゴ状にした鉄筋をコンクリートを流し込む前に配置しておくことを特徴とする請求項１または２に記載の発電設備の設置方法。
【請求項４】
上面に発電設備が設置され、下部がコンクリート型枠としての機能を有する枠体として構成された共通台床をスラブ上に設置し、
この枠体内にコンクリートを流し込んで固化させることにより、共通台床とスラブとを固定したことを特徴とする発電設備の設置構造。
【発明の詳細な説明】
【技術分野】
【０００１】
本発明は、発電設備、特にディーゼルエンジン等の原動機と発電機とを組み合わせた小容量の発電設備をスラブ上に設置する方法及びその構造に関する。
【背景技術】
【０００２】
この種の小容量発電設備は、一般に建築スラブ上にコンクリート製の基礎構造を構築しておき、この基礎構造上に設置される。基礎構造は、建築スラブとの密着性を良くするためにスラブに差筋を打ち込み、その上に鉄筋をカゴ状に組み、周囲に型枠を組んでコンクリートを打設し、養生期間を経過してコンクリートが固化した後、型枠を外して完成する。
【０００３】
発電設備は、原動機と発電機とを共通台床に組み付けて一体のユニットとして構成され、このユニットを基礎構造の上に固定することにより設置される。なお、このような従来の設置方法では、基礎構造のコンクリートが固化するまでの養生期間が長く、この間現場作業を進めることができず、工期が長期間になる。
【０００４】
そこで、工期を短縮するため、特許文献１、２に開示されるような方法が提案されている。
特許文献１に開示される発明は、発電設備用の鋼板製の土台部を予め工場で製造し、必要に応じて複数の土台部を接続することにより、現場での施工期間を短縮するようにしている。
また、特許文献２に開示される発明は、タービン及び発電機を工場内で低調位型鋼製の基礎架台の上に組み付けて一体に構成し、その状態で現場まで搬送して据え付けるようにしている。
【０００５】
【特許文献１】特開２００４−３３９６８８号公報  図１
【特許文献２】特開平１０−２９９４１９号公報  図１
【発明の開示】
【発明が解決しようとする課題】
【０００６】
しかしながら、上記の特許文献１及び２に記載された方法では、基礎構造（土台、架台）が鋼板製であり、コンクリートにより構築された基礎構造と比較すると、耐震性、安定性に欠けるという問題があった。
【０００７】
本発明は、上述した従来技術の問題点に鑑みてなされたものであり、工期の短縮を図りつつ、耐震性、安定性に優れた基礎構造を構築することが可能な発電設備の設置方法及び設置構造を提供することを目的とする。
【課題を解決するための手段】
【０００８】
本発明の請求項１にかかる発電設備の設置方法は、上面に発電設備が設置され、下部がコンクリート型枠としての機能を有する枠体として構成された共通台床をスラブ上に設置し、この枠体内にコンクリートを流し込んで固化させることにより、共通台床とスラブとを固定することを特徴とする。
【０００９】
発電設備は、請求項２に記載のように原動機と発電機とを備え、これらを予め工場で共通台床上に設置しておいてもよいし、コンクリートを流し込んだ後に現場で設置してもよい。また、共通台床の枠体の内部には、請求項３に記載のように、カゴ状にした鉄筋を予め配置しておくことが望ましい。
【００１０】
一方、請求項４にかかる発電設備の設置構造は、上面に発電設備が設置され、下部がコンクリート型枠としての機能を有する枠体として構成された共通台床をスラブ上に設置し、この枠体内にコンクリートを流し込んで固化させることにより、共通台床とスラブとを固定したことを特徴とする。
【発明の効果】
【００１１】
請求項１の方法及び請求項４の構造によれば、発電設備はコンクリートを注入されていない状態でも共通台床により支持されているため、コンクリートの養生期間を待たずに他の作業を続けることができ、現場での工期を短縮することができる。
また、コンクリートが固化した後は、従来のコンクリート製の基礎構造を用いたものと同様の耐震性、安定性を得ることができる。なお、共通台床は工場で製作されるため、品質を均一に保つことができる。
【００１２】
また、請求項２の方法によれば、発電設備を工場で共通台床に設置することにより、現場での工期をさらに短縮することができる。
さらに、請求項３の方法によれば、枠体内に鉄筋を配置することにより、コンクリートの基礎構造の強度を確保することができる。
【発明を実施するための最良の形態】
【００１３】
以下、本発明にかかる発電設備の設置方法及び設置構造の実施の形態を図面に基づいて説明する。図１は、実施の形態の発電設備の設置構造を示す一部断面にした側面図、図２〜図４は、図１の設置構造に至る設置方法の手順を示す同様の側面図である。
【００１４】
図１に示すように、実施の形態に係る小容量発電設備の設置構造１は、発電設備１０と、この発電設備１０を支持する共通台床２０と、この共通台床２０内に注入されたコンクリートにより構築される基礎構造３０とにより構成されている。
【００１５】
発電設備１０は、ディーゼルエンジンにより構成される原動機１１と、この原動機の出力軸に接続された発電機１２とから構成されている。原動機１１には、ラジエター１１ａ、排気出口１１ｂ等が接続され、脚部１１ｃにより共通台床２０に固定されている。一方、発電機１２は、脚部１２ａにより共通台床２０に固定されている。なお、１３は、原動機１１の作動状況をモニターするためのエンジン計器板である。原動機１１を運転することにより、発電機１２が作動して発電することができる。
【００１６】
共通台床２０は、鋼板製で下面が開放した箱状の構造体であり、上面に発電設備１０が設置され、下部がコンクリート型枠としての機能を有する枠体２１として構成されている。また、共通台床２０の上面には、コンクリートを注入する際に利用する開口２３が形成されている。さらに、共通台床２０の枠体２１の内部には、カゴ状にしたφ13程度の鉄筋２２が固定されている。
【００１７】
この共通台床２０をスラブ２上に設置し、この枠体２１内に開口２３からコンクリートを流し込み固化させて基礎構造３０を構築することにより、共通台床２０とスラブ２とが固定される。なお、スラブ２には、予め差筋３が打ち込まれており、この上にコンクリートを流し込むことにより、共通台床２０とスラブ２とが強固に固定される。なお、枠体２１の容積は、基礎構造３０として十分な大きさを確保できるように、例えばメイラーの式に基づいて決定される。
【００１８】
次に、上記のような小容量発電設備１０の設置方法について図２〜図４に基づいて説明する。図２は、発電設備１０を共通台床２０に取り付け、鉄筋２２を枠体２１に取り付けた状態を示す。工場内でこのような状態に組み付け、これを設置現場に搬送する。
【００１９】
図２の設備を、図３に示すように現場のスラブ２上に設置する。そして、図４に示すように、共通台床２０の枠体２１内に開口２３からコンクリートを注入する。所定量のコンクリートを注入した後、固化させる。図３の状態で発電設備１０の位置は決定されるため、コンクリートを注入する前、あるいは、注入後固化前であっても、配線、配管等の他の現場作業を継続することができる。すなわち、従来のようにコンクリートの注入後の養生期間が不要となり、工期を短縮することが可能となる。
【００２０】
なお、上記の例では、原動機１１と発電機１２とから成る発電設備１０を予め工場で共通台床２０上に設置することとしているが、これらは現場に共通台床２０を配置した後に設置してもよい。
【図面の簡単な説明】
【００２１】
【図１】本発明の実施の形態にかかる発電設備の設置構造を示す一部断面側面図である。
【図２】本発明の実施の形態にかかる発電設備を共通台床に取り付け、鉄筋を枠体に取り付けた状態を示す一部断面側面図である。
【図３】図２の設備をスラブ上に設置した状態を示す一部断面側面図である。
【図４】図３の設備の共通台床にコンクリートを注入している状態を示す一部断面側面図である。
【符号の説明】
【００２２】
１    発電設備の設置構造
２    スラブ
３    差筋
１０  発電設備
１１  原動機
１１ａ  ラジエター
１１ｂ  排気出口
１１ｃ  脚部
１２  発電機
１２ａ  脚部
１３  エンジン計器板
２０  共通台床
２１  枠体
２２  鉄筋
２３  開口
３０  基礎構造
【図１】
2007262798.tif 000003
【図２】
2007262798.tif 000004
【図３】
2007262798.tif 000005
【図４】
2007262798.tif 000006